(57)【要約】  複数の低雑音増幅器モジュールを有する無線周波数（ＲＦ）フロントエンドが開示される。例示的な実施形態では、装置は、少なくとも１つの第１段キャリアグループを生成するために受信されたキャリア信号を増幅するように構成された少なくとも１つの第１段増幅器を含む。各第１段キャリアグループはキャリア信号のそれぞれの部分を含む。本装置は、第１段キャリアグループを増幅するように構成された第２段増幅器をも含む。異なる復調段に出力され得る２つの第２段出力信号を生成するためにそれぞれの第１段キャリアグループを増幅するように構成された各第２段増幅器、ここで、各復調段は、選択されたキャリア信号を復調する。
2017525174.tif 000002
【特許請求の範囲】
【請求項１】
少なくとも１つの第１段キャリアグループを生成するために受信されたキャリア信号を増幅するように構成された少なくとも１つの第１段増幅器と、各第１段キャリアグループが前記キャリア信号のそれぞれの部分を含む、
前記第１段キャリアグループを増幅するように構成された第２段増幅器と、各第２段増幅器が、２つの第２段出力信号を生成するためにそれぞれの第１段キャリアグループを増幅するように構成された、
を備える装置。
【請求項２】
前記２つの第２段出力信号が、異なる復調段に出力され、各復調段が、選択されたキャリア信号を復調するように構成された、請求項１に記載の装置。
【請求項３】
前記キャリア信号が１次キャリア信号とダイバーシティキャリア信号とを備える、請求項１に記載の装置。
【請求項４】
前記少なくとも１つの第１段増幅器が、
前記キャリア信号の第１の部分を有する第１の増幅された出力を生成し、前記キャリア信号の第２の部分を有する第２の増幅された出力を生成するために、前記受信されたキャリア信号を増幅するように構成された少なくとも１つの第１の低雑音増幅器（ＬＮＡ）と、
前記受信されたキャリア信号を増幅し、前記キャリア信号の前記第１の部分を有する第３の増幅された出力を生成し、前記キャリア信号の前記第２の部分を有する第４の増幅された出力を生成するように構成された少なくとも１つの第２の低雑音増幅器（ＬＮＡ）と、
前記第１の増幅された出力、前記第２の増幅された出力、前記第３の増幅された出力、および前記第４の増幅された出力のうちの少なくとも１つを第１の出力ポートにルーティングし、前記第１の増幅された出力、前記第２の増幅された出力、前記第３の増幅された出力、および前記第４の増幅された出力のうちの少なくとも１つを第２の出力ポートにルーティングするように構成されたルーティングモジュールと
を備える、請求項１に記載の装置。
【請求項５】
前記第１段キャリアグループがシングルエンド信号を備える、請求項１に記載の装置。
【請求項６】
前記第２段増幅器がインターフェース増幅器を備え、各インターフェース増幅器が、第１の選択された増幅されたキャリア信号と、第２の選択された増幅されたキャリア信号とを有する、第２段増幅された出力を生成するために、選択された第１段キャリアグループを増幅するように構成された少なくとも１つの低雑音増幅器を備える、請求項２に記載の装置。
【請求項７】
前記第１段キャリアグループを前記インターフェース増幅器に整合させるように構成された整合回路をさらに備える、請求項６に記載の装置。
【請求項８】
前記第１の選択された増幅されたキャリア信号および前記第２の選択された増幅されたキャリア信号を差動信号に変換するように構成された変換器モジュールをさらに備える、請求項６に記載の装置。
【請求項９】
各復調器段が、前記差動信号を受信し、局部発振器に基づいて前記差動信号をベースバンド信号に変換するように構成されたミキサを備える、請求項８に記載の装置。
【請求項１０】
前記ミキサが二重平衡ミキサとして構成された、請求項９に記載の装置。
【請求項１１】
前記第１段増幅器が１つまたは複数の集積回路上に形成され、前記第２段増幅器が単一の集積回路上に形成された、請求項１に記載の装置。
【請求項１２】
前記１つまたは複数の集積回路および前記単一の集積回路がプリント回路板上に存在する、請求項１１に記載の装置。
【請求項１３】
前記第１段キャリアグループが、前記プリント回路板の信号トレースによって前記単一の集積回路にルーティングされる、請求項１２に記載の装置。
【請求項１４】
前記単一の集積回路が、前記プリント回路板の前記信号トレースに接続されたインターフェースピンを備える、請求項１３に記載の装置。
【請求項１５】
前記単一の集積回路の前記インターフェースピンが、それぞれの復調器段に接続された信号トレースを分離し、異なる復調器段に接続された信号トレースの直交する信号トレース交差を得るために、前記復調器段に近接して各第２段増幅器の出力に関連付けられた選択されたインターフェースピンを置くためにキャリア中心配列で配列された、請求項１４に記載の装置。
【請求項１６】
少なくとも１つの第１段キャリアグループを生成するために受信されたキャリア信号を増幅するための手段と、各第１段キャリアグループが前記キャリア信号のそれぞれの部分を含む、
２つの第２段出力信号を生成するために各第１段キャリアグループを増幅するための手段と
を備える装置。
【請求項１７】
前記２つの第２段出力信号が、異なる復調段に出力され、各復調段が、選択されたキャリア信号を復調するように構成された、請求項１６に記載の装置。
【請求項１８】
前記受信されたキャリア信号を増幅するための前記手段が、
前記キャリア信号の第１の部分を有する第１の増幅された出力と、前記キャリア信号の第２の部分を有する第２の増幅された出力と、前記キャリア信号の第３の部分を有する第３の増幅された出力と、前記キャリア信号の第４の部分を有する第４の増幅された出力とを生成するための手段と、
前記第１の増幅された出力、前記第２の増幅された出力、前記第３の増幅された出力、および前記第４の増幅された出力のうちの第１の選択された１つを第１の出力ポートにルーティングし、前記第１の増幅された出力、前記第２の増幅された出力、前記第３の増幅された出力、および前記第４の増幅された出力のうちの第２の選択された１つを第２の出力ポートにルーティングするための手段と
を備える、請求項１６に記載の装置。
【請求項１９】
前記２つの第２段出力信号を差動信号に変換するための手段をさらに備える、請求項１７に記載の装置。
【請求項２０】
各復調器段が、前記差動信号を受信し、局部発振器に基づいて前記差動信号をベースバンド信号に変換するように構成された混合するための手段を備える、請求項１９に記載の装置。
【発明の詳細な説明】
【技術分野】
【０００１】
関連出願の相互参照
[0001]本出願は、その内容全体が参照により本明細書に明確に組み込まれる、同一出願人が所有する、２０１４年５月１６日に出願された米国仮特許出願第６１／９９４，１５８号、および２０１５年３月２７日に出願された米国非仮特許出願第１４／６７１，９３９号の優先権を主張する。
【０００２】
[0002]本開示は、一般に通信トランシーバに関し、より詳細には、キャリアアグリゲーション通信システムにおいて使用するための受信機フロントエンドに関する。
【背景技術】
【０００３】
[0003]無線周波数（ＲＦ）トランシーバでは、通信信号が、送信機によって発生され、アップコンバートされ、増幅され、送信され、受信機によって受信され、増幅され、ダウンコンバートされ、復元される。受信機では、通信信号は、一般に、通信信号中に含まれている情報を復元するために、受信回路によって受信され、ダウンコンバートされる。単一の送信機または受信機が、複数の送信周波数および／または複数の受信周波数を使用して動作するように構成され得る。受信機が２つまたはそれ以上の受信信号を同時に受信することが可能であるように、２つまたはそれ以上の受信経路の同時動作が使用される。そのようなシステムは「キャリアアグリゲーション」（ＣＡ：carrier-aggregation）システムと呼ばれることがある。「キャリアアグリゲーション」という用語は、インターバンドキャリアアグリゲーション（インターＣＡ）とイントラバンドキャリアアグリゲーション（イントラＣＡ）とを含むシステムを指すことがある。インターＣＡは、異なる通信バンド中で発生する２つまたはそれ以上の別個の（連続または不連続のいずれかの）キャリア信号の処理を指す。イントラＣＡは、同じ通信バンド中で発生する２つまたはそれ以上の別個の（連続または不連続のいずれかの）キャリア信号の処理を指す。受信されたキャリアアグリゲートＲＦ信号が、一般に、１つまたは複数の別個の局部発振器（ＬＯ）周波数を使用して、増幅され、ダウンコンバートされる。次いで、ダウンコンバートされた信号は、複数のキャリアを使用して送信された情報を抽出するために処理される。
【０００４】
[0004]通信デバイスは、それらが、複数の通信バンド中の絶えず増加する数の異なる周波数を処理するように設計されるので、ますます複雑になっている、ＲＦトランシーバを有する。通信デバイスが、多くの異なる通信バンドにわたる様々な異なる周波数上で通信することが可能であることが一般的である。多くの場合、受信機は、各受信機信号経路が、他の受信機信号経路に対するアグレッサ信号を生成し得るので、厳しい経路間分離要件を生じる複数の信号経路を含む。内部アグレッサ信号がビクティム受信機経路上に存在するとき、回路非線形性および／または他の外部干渉物により、大量の受信機感度抑圧が発生することがある。これにより、ビクティム受信機経路に関する情報の復元が困難または不可能になる。
【０００５】
[0005]したがって、キャリアアグリゲーショントランシーバ中で複数のキャリア信号を受信したとき、改善された受信機経路分離を与える方法を有することが望ましい。
【図面の簡単な説明】
【０００６】
【図１】[0006]複数の通信バンド中の受信されたＲＦ信号を、ワイヤレスシステム内で通信するワイヤレスデバイス中の復調器に効率的にルーティングする２段ＬＮＡを有するフロントエンドの例示的な実施形態を示す図。
【図２】[0007]キャリアアグリゲーション通信システムにおける例示的なキャリア信号構成を示す図。
【図３】[0008]２段ＬＮＡの例示的な実施形態を備える受信機フロントエンドのブロック図。
【図４】[0009]第１段増幅器の例示的な実施形態を示す図。
【図５】[0010]図４に示されているＬＮＡグループの詳細な例示的な実施形態を示す図。
【図６】[0011]第２段増幅器を含む増幅および復調集積回路の例示的な実施形態を示す図。
【図７】[0012]図３に示されている２段ＬＮＡの詳細な例示的な実施形態を示す図。
【図８】[0013]図６に示されている集積回路のインターフェースピンの例示的な実施形態を示す図。
【図９】[0014]２段ＬＮＡ装置の例示的な実施形態を示す図。
【発明を実施するための形態】
【０００７】
[0015]以下に示す発明を実施するための形態は、本開示の例示的な設計を説明するものであり、本開示が実施され得る設計のみを表すものではない。「例示的」という用語は、本明細書では、「例、事例、または例示の働きをすること」を意味するために使用する。「例示的」として本明細書で説明するいかなる設計も、必ずしも他の設計よりも好ましいまたは有利であると解釈されるべきであるとは限らない。発明を実施するための形態は、本開示の例示的な設計の完全な理解を与えるための具体的な詳細を含む。本明細書で説明する例示的な設計はこれらの具体的な詳細なしに実施され得ることが当業者には明らかであろう。いくつかの事例では、本明細書で提示する例示的な設計の新規性を不明瞭にしないように、よく知られている構造およびデバイスをブロック図の形式で示す。
【０００８】
[0016]図１に、複数の通信バンド中の受信されたＲＦキャリア信号を、ワイヤレスシステム１００内で通信するワイヤレスデバイス１０２中の復調器に効率的にルーティングする２段低雑音増幅器（ＬＮＡ：low noise amplifier）を有するフロントエンド１１４の例示的な実施形態を示す。ワイヤレスシステム１００は、ロングタームエボリューション（ＬＴＥ（登録商標）：Long Term Evolution）システム、符号分割多元接続（ＣＤＭＡ）システム、モバイル通信用グローバルシステム（ＧＳＭ（登録商標）：Global System for Mobile Communications）システム、ワイヤレスローカルエリアネットワーク（ＷＬＡＮ：wireless local area network）システム、または何らかの他のワイヤレスシステムであり得る。ＣＤＭＡシステムは、広帯域ＣＤＭＡ（ＷＣＤＭＡ（登録商標））、ＣＤＭＡ  １Ｘ、エボリューションデータオプティマイズド（ＥＶＤＯ：Evolution-Data Optimized）、時分割同期ＣＤＭＡ（ＴＤ−ＳＣＤＭＡ：Time Division Synchronous CDMA）、またはＣＤＭＡの何らかの他のバージョンを実装し得る。簡単のために、図１は、２つの基地局１０４および１０６と、１つのシステムコントローラ１０８とを含むワイヤレスシステム１００を示している。概して、ワイヤレスシステム１００は、任意の数の基地局と、ネットワークエンティティの任意のセットとを含み得る。
【０００９】
[0017]ワイヤレスデバイス１０２は、ユーザ機器（ＵＥ）、移動局、端末、アクセス端末、加入者ユニット、または局と呼ばれることもある。ワイヤレスデバイス１０２は、セルラーフォン、スマートフォン、タブレット、ワイヤレスモデム、携帯情報端末（ＰＤＡ）、ハンドヘルドデバイス、ラップトップコンピュータ、スマートブック、ネットブック、コードレスフォン、ワイヤレスローカルループ（ＷＬＬ）局、Ｂｌｕｅｔｏｏｔｈ（登録商標）デバイス、または他の通信デバイスであり得る。ワイヤレスデバイス１０２はワイヤレスシステム１００中のデバイスと通信し得る。ワイヤレスデバイス１０２はまた、放送局（たとえば、放送局１１０）からの信号、または１つまたは複数のグローバルナビゲーション衛星システム（ＧＮＳＳ：global navigation satellite system）中の衛星（たとえば、衛星１１２）からの信号を受信し得る。ワイヤレスデバイス１０２は、ＬＴＥ、ＷＣＤＭＡ、ＣＤＭＡ  １Ｘ、ＥＶＤＯ、ＴＤ−ＳＣＤＭＡ、ＧＳＭ、８０２．１１など、ワイヤレス通信のための１つまたは複数の無線技術をサポートし得る。様々な例示的な実施形態では、フロントエンド１１４の２段ＬＮＡは、所望のベースバンド信号を取得するために、１つまたは複数の通信バンド中の受信されたキャリアを、対応する復調器に効率的にルーティングする。様々な例示的な実施形態では、２段ＬＮＡは、１つまたは複数の通信バンド中の異なるキャリア信号を処理するとき、改善された受信機経路分離および一貫した受信機性能を与えるように動作する。
【００１０】
[0018]図２に、キャリアアグリゲーション通信システムにおける例示的な信号キャリア構成を示す図２００を示す。たとえば、信号構成は、ＲＦキャリアが、図１に示されている通信システム１００中で送信または受信され得る信号バンドを示している。たとえば、図２００に、ローバンド、ミッドバンドおよびハイバンドグループを示し、各バンドグループは、１つまたは複数のキャリア信号を備える１つまたは複数の信号バンドを有し得る。図２０６では、ローバンドグループは２つのローバンドグループにさらに分割される。
【００１１】
[0019]図２０２に、連続イントラバンドキャリア構成の一例を示す。たとえば、１つのバンドグループ中に複数の連続キャリア（たとえば、ローバンドグループ中に４つの連続キャリア）がある。ワイヤレスデバイス１００は、同じバンドグループ内の４つの連続キャリア上での送信を送信および／または受信し得る。
【００１２】
[0020]図２０４に、不連続イントラバンドキャリア構成の一例を示す。たとえば、１つのバンドグループ中に複数の不連続キャリア（たとえば、ローバンドグループ中に４つの不連続キャリア）がある。キャリアは、５ＭＨｚ、１０ＭＨｚ、または何らかの他の量だけ分離され得る。ワイヤレスデバイス１００は、同じバンドグループ内の４つの不連続キャリア上での送信を送信および／または受信し得る。
【００１３】
[0021]図２０６に、同じバンドグループを使用するインターバンドキャリア構成の一例を示す。たとえば、２つのバンド中に複数のキャリア（たとえば、ローバンド１中に２つの連続キャリアおよびローバンド２中に２つの連続キャリア）がある。ワイヤレスデバイス１００は、同じバンドグループ中の異なるバンド中の４つのキャリア上での送信を送信および／または受信し得る、
【００１４】
[0022]図２０８に、異なるバンドグループを使用するインターバンドキャリア構成の一例を示す。たとえば、異なるバンドグループの２つのバンド中に複数のキャリア（たとえば、ローバンドグループ中に２つのキャリアおよびミッドバンドグループ中に２つのキャリアがある。ワイヤレスデバイス１００は、異なるバンドグループ中の４つのキャリア上での送信を送信および／または受信し得る。また、異なるバンドグループを使用する他のキャリア構成も例示的な実施形態によってサポートされることに留意されたい。
【００１５】
[0023]図３に、２段ＬＮＡ３３６の例示的な実施形態を備える受信機フロントエンド３００のブロック図を示す。たとえば、フロントエンド３００は、図１に示されているフロントエンド１１４として使用するのに好適である。２段ＬＮＡ３３６は第１の増幅段３０２と第２の増幅段３０４とを備える。
【００１６】
[0024]フロントエンド３００は、第１のスイッチ３０６に入力されるＲＦ信号を受信する１次（Ｐｒ）アンテナに接続する。フロントエンド３００は、第２のスイッチ３０８に入力されるＲＦ信号を受信するダイバーシティ（Ｄｖ）アンテナにも接続する。スイッチ３０６および３０８は、選択されたバンドおよび／またはバンドグループ中の選択されたキャリア信号を有する信号を出力するためにそれらの入力におけるＲＦ信号に対してスイッチングおよびフィルタ処理を実行する。例示的な実施形態では、スイッチ３０６は、選択された１次バンドおよび／またはバンドグループ中の選択されたキャリア信号がスイッチ３０６から出力されるように、スイッチ３０６によって行われるスイッチングおよびフィルタ処理を制御する１次バンド制御信号を受信する。同様に、スイッチ３０８は、選択されたダイバーシティバンドおよび／またはバンドグループ中の選択されたキャリア信号がスイッチ３０８から出力されるように、スイッチ３０８によって行われるスイッチングおよびフィルタ処理を制御するダイバーシティバンド制御信号を受信する。１次バンド制御信号およびダイバーシティバンド制御信号は、ベースバンドプロセッサなど、デバイスにおける別のエンティティによって与えられる。
【００１７】
[0025]本明細書では、フロントエンド３００は、図２に示されているキャリア構成２０８を有するキャリア信号を受信し、処理すべきであると仮定される。したがって、受信され、復調されるべき、２つの異なるバンドグループ（たとえば、ローバンドおよびミッドバンド）中の４つのキャリア信号がある。さらに、スイッチ３０６が、１次アンテナによって受信された４つのキャリア信号（Ｐｃａ０、Ｐｃａ１、Ｐｃａ２およびＰｃａ２）３１０を出力すると仮定される。１次キャリア信号のうちの２つ（Ｐｃａ１およびＰｃａ２）が（ＢＧ１として示される）ローバンドグループ中にあり、１次キャリア信号のうちの２つが（ＢＧ２として示される）ミッドバンドグループ中にある。また、スイッチ３０８が、ダイバーシティアンテナによって受信された同じ４つのキャリア信号（Ｄｃａ０、Ｄｃａ１、Ｄｃａ２およびＤｃａ３）３１２を出力するように制御されると仮定される。スイッチ３０６および３０８は、受信され、復調されるべきキャリア構成に応じて、異なる数のバンドおよび／またはグループ中の異なる数のキャリアを出力するように構成され得ることに留意されたい。
【００１８】
[0026]フロントエンド３００は、その上に２段ＬＮＡ３３６を実装されたプリント回路板３３４を備える。たとえば、第１段３０２は第１段増幅集積回路（ＩＣ）３１４、３１６を備え、第２段３０４は第２段増幅および復調集積回路３２２を備える。集積回路３１４、３１６は、それらのそれぞれのスイッチ３０６、３０８に近くなるように、プリント回路板３３４上に存在する。したがって、スイッチ３０６、３０８から集積回路３１４、３１６までの信号経路は、雑音または他の信号劣化の可能性を低減するためにできるだけ短くなり得る。第２段増幅および復調集積回路３２２は、復調された信号の信号処理を可能にするために、プリント回路板３３４上の様々なロケーションに存在することができる。プリント回路板３３４は、プリント回路板上に実装された構成要素間の信号をルーティングする信号トレースを備える。
【００１９】
[0027]増幅集積回路３１４、３１６の各々は少なくとも１つのバンドグループＬＮＡ（ＬＮＡ−ＢＧX）を備える。各バンドグループＬＮＡは、対応するスイッチ出力から受信された特定のバンドまたはバンドグループ中のキャリア信号を増幅するように動作する。たとえば、この例示的な実施形態では、回路３１４は、選択されたバンド中の１次キャリアを増幅するために２つのバンドグループＬＮＡ（ＬＮＡ−ＢＧ１およびＬＮＡ−ＢＧ２）を含み、また、回路３１６は、ダイバーシティアンテナによって受信された選択されたバンド中のキャリアを増幅するために２つのバンドグループＬＮＡ（ＬＮＡ−ＢＧ１およびＬＮＡ−ＢＧ２）を含む。ただし、回路３１４および３１６は、必要な場合、より多くのバンドグループＬＮＡを備え得る。各バンドグループＬＮＡは、プリント回路板３３４の信号トレースを使用して第２段ＬＮＡ３０４にルーティングされる（概して、３２０において示され、キャリアグループと呼ばれる）増幅された信号を出力するための２つの出力を備える。たとえば、ＩＣ３１４のＬＮＡ−ＢＧ１は、増幅された１次キャリア信号Ｐｃａ１およびＰｃａ３を出力する第１の出力と、増幅された１次キャリア信号Ｐｃａ０およびＰｃａ２を出力する第２の出力とを有する。同様に、増幅ＩＣ３１６のＬＮＡ−ＢＧ１は、増幅されたダイバーシティキャリア信号Ｄｃａ１およびＤｃａ３を出力する第１の出力と、増幅されたダイバーシティキャリア信号Ｄｃａ０およびＤｃａ２を出力する第２の出力とを有する。
【００２０】
[0028]増幅ＩＣ３１４、３１６から出力された信号は、プリント回路板３３４の信号トレースを使用して第２段増幅および復調ＩＣ３２２にルーティングされる。例示的な実施形態では、信号は、信号トレースがプリント回路板にわたってルーティングされるときに発生し得る雑音を最小限に抑え、低減し、および／または除去するようにルーティングされる。たとえば、信号トレースは、信号トレース交差および／または近接して平行な信号トレースルーティングを回避するようにルーティングされる。
【００２１】
[0029]増幅および復調器ＩＣ３２２は、インターフェース低雑音増幅器（ｉＬＮＡ）３２４、３２６、３２８、３３０と、復調器段（ｄｍ１、ｄｍ２、ｄｍ３、およびｄｍ４）とを備える。増幅ＩＣ３１４、３１６から出力された信号は、ｉＬＮＡによって受信され、ここで、それらは、効率的な方法で復調器段に入力される、増幅された第２段信号を生成するために、ｉＬＮＡによって再び増幅される。各復調器段は、１次およびダイバーシティベースバンド（ＢＢ）信号を生成するために特定のキャリア周波数に関連付けられた１次およびダイバーシティキャリア信号を復調する。次いで、復調されたベースバンド信号は、デバイスにおける他のエンティティによる処理のために出力される。したがって、この例示的な実施形態では、２段ＬＮＡ３３６は４ダウンリンク（ＤＬ）キャリアアグリゲーション受信機として構成される。
【００２２】
[0030]図４に、第１段増幅器４００の例示的な実施形態を示す。たとえば、第１段増幅器４００は、図３に示されている第１段増幅器３１４および３１６のいずれかとして使用するのに好適である。図４では、第１段増幅器４００は、第１段増幅器３１４として動作するように構成される。第１段増幅器４００は、第１のバンドグループＬＮＡ４０２と第２のバンドグループＬＮＡ４１２とを備え、任意の数の追加のバンドグループＬＮＡを含み得る。バンドグループＬＮＡ４０２は、増幅のためにバンドおよび／またはキャリア信号を受信するために、最高「ｎ個の」ＬＮＡを備える。この例示的な実施形態では、２つのＬＮＡ（たとえば、４０４および４０６）が示されており、各々は、図３に示されているスイッチ３０６からの出力のために選択された４つの１次キャリア信号（Ｐｃａ０、Ｐｃａ１、Ｐｃａ２およびＰｃａ２）３１０の全部または一部を入力として受信する。３つ以上のＬＮＡが各バンドグループＬＮＡによって利用され得ることに留意されたい。
【００２３】
[0031]第１のＬＮＡ４０４は、入力端子４１８において４つの１次キャリア信号（Ｐｃａ０、Ｐｃａ１、Ｐｃａ２およびＰｃａ２）３１０のうちの１つまたは複数を受信する。ＬＮＡ４０４は、受信されたキャリア信号を増幅し、ルーティングモジュール４０８に入力される、増幅されたキャリア信号を出力する。第２のＬＮＡ４０６も、入力端子４２０において４つの１次キャリア信号（Ｐｃａ０、Ｐｃａ１、Ｐｃａ２およびＰｃａ２）３１０のうちの１つまたは複数を受信する。ＬＮＡ４０６は、受信されたキャリア信号を増幅し、ルーティングモジュール４０８に入力される、増幅されたキャリア信号を出力する。
【００２４】
[0032]ルーティングモジュール４０８は、第１のバンドグループ中のキャリア信号が第１の出力端子４１４にルーティングされるように、受信された増幅されたキャリア信号をルーティングする。第２のバンドグループ中のキャリアが第２の出力端子４１６にルーティングされる。したがって、第１の出力端子４１４は１次キャリア信号（Ｐｃａ１およびＰｃａ３）の第１のグループ（グループ１ａ）を出力し、第２の出力端子４１６は１次キャリア（Ｐｃａ０およびＰｃａ２）の第２のグループ（グループ１ｂ）を出力する。例示的な実施形態では、出力より前に、キャリア信号の増幅のために、バッファ増幅器（４１０および４３６）が与えられる。例示的な実施形態では、バッファ増幅器（４１０および４３６）は随意である。
【００２５】
[0033]同様に、バンドグループＬＮＡ４１２は、増幅のためにキャリア信号を受信するために、最高「ｎ個の」ＬＮＡを備える。この例示的な実施形態では、それぞれ、図３に示されているスイッチ３０６からの出力のために選択された４つの１次キャリア信号（Ｐｃａ０、Ｐｃａ１、Ｐｃａ２およびＰｃａ２）３１０の全部または一部を入力として受信する、２つのＬＮＡ（たとえば、４３０および４３２）が示されている。３つ以上のＬＮＡが各バンドグループＬＮＡによって利用され得ることに留意されたい。
【００２６】
[0034]第１のＬＮＡ４３０は、入力端子４２２において４つの１次キャリア信号（Ｐｃａ０、Ｐｃａ１、Ｐｃａ２およびＰｃａ２）３１０のうちの１つまたは複数を受信する。ＬＮＡ４３０は、これらのキャリア信号を増幅し、ルーティングモジュール４３４に入力される、増幅されたキャリア信号を出力する。第２のＬＮＡ４３２も、入力端子４２４において４つの１次キャリア信号（Ｐｃａ０、Ｐｃａ１、Ｐｃａ２およびＰｃａ３）３１０のうちの１つまたは複数を受信する。ＬＮＡ４３２は、これらのキャリア信号を増幅し、ルーティングモジュール４３４に入力される、増幅されたキャリア信号を出力する。
【００２７】
[0035]ルーティングモジュール４３４は、第１のバンドグループ中のキャリア信号が第１の出力端子４２６にルーティングされるように、受信された増幅されたキャリア信号をルーティングする。第２のバンドグループ中のキャリアが第２の出力端子４２８にルーティングされる。したがって、出力端子４２６は１次キャリア信号（Ｐｃａ１およびＰｃａ３）の第３のグループ（グループ２ａ）を出力し、出力端子４２８は１次キャリア（Ｐｃａ０およびＰｃａ２）の第４のグループ（グループ２ｂ）を出力する。例示的な実施形態では、出力より前に、キャリア信号の増幅のために、バッファ増幅器（４３８および４４０）が与えられる。例示的な実施形態では、バッファ増幅器（４３８および４４０）は随意である。第１段増幅器４００は、第１段増幅器３１６として使用するのにも好適である。第１段増幅器４００から出力された信号は、プリント回路板３３４の信号トレースを使用して第２段増幅器３０４に効率的にルーティングされる。ルーティングモジュール４０８、４３４は、それらのそれぞれの増幅された入力信号を２つの出力ポートのいずれかにルーティングするように構成されることに留意されたい。したがって、入力キャリア、バンドまたはバンドグループが、ルーティングモジュール４０８、４３４の動作によっていずれかの出力にルーティングされ得る。
【００２８】
[0036]図５に、図４に示されているバンドグループＬＮＡ４０２の詳細な例示的な実施形態を示す。例示的な実施形態では、バンドグループＬＮＡ４０２は、ＬＮＡ４０４、４０６と、ルーティングモジュール４０８と、バッファ増幅器４１０および４３６とを備える。図５に示されているバンドグループＬＮＡは、図３に示されているバンドグループＬＮＡのいずれかとして使用するのに好適であることに留意されたい。
【００２９】
[0037]ＬＮＡ４０４は、ＰＭＯＳトランジスタ５１２、５１６と、ＮＭＯＳトランジスタ５１４および５１８とを含む。トランジスタ５１２は、インダクタ５１０の第１の端子に接続されたソース端子を有する。インダクタ５１０の第２の端子が電源に接続される。入力ポート５０２がトランジスタ５１２および５１４のゲート端子に接続される。入力ポート５０２は、１つまたは複数のキャリア信号を受信するように構成される。たとえば、入力ポート５０２は、４つの１次キャリア信号（Ｐｃａ０、Ｐｃａ１、Ｐｃａ２およびＰｃａ３）３１０の全部または一部を受信することができる。トランジスタ５１４のソース端子がインダクタ５２０の第１の端子に接続される。インダクタ５２０の第２の端子が信号接地に接続される。
【００３０】
[0038]トランジスタ５１６および５１８のゲート端子が第２の入力ポート５０４に接続される。入力ポート５０４は、４つの１次キャリア信号（Ｐｃａ０、Ｐｃａ１、Ｐｃａ２およびＰｃａ３）３１０の全部または一部を受信することができる。トランジスタ５１６のソース端子がインダクタ５１０の第１の端子に接続される。トランジスタ５１８のソース端子がインダクタ５２０の第１の端子に接続される。
【００３１】
[0039]トランジスタ５１２のドレイン端子が、トランジスタ５１６のドレイン端子と、ルーティングモジュール４０８のスイッチ５３４の第１の端子とに接続される。トランジスタ５１４のドレイン端子はルーティングモジュール４０８のスイッチ５３６の第１の端子に接続される。トランジスタ５１６のドレイン端子が、トランジスタ５１８のドレイン端子と、ルーティングモジュール４０８のスイッチ５３８の第１の端子とに接続される。トランジスタ５１８のドレイン端子はルーティングモジュール４０８のスイッチ５４０の第１の端子に接続される。
【００３２】
[0040]ＬＮＡ４０６は、ＰＭＯＳトランジスタ５２４、５２８と、ＮＭＯＳトランジスタ５２６および５３０とを含む。トランジスタ５２４は、インダクタ５２２の第１の端子に接続されたソース端子を有する。インダクタ５２２の第２の端子が電源に接続される。入力ポート５０６がトランジスタ５２４および５２６のゲート端子に接続される。入力ポート５０６は、１つまたは複数のキャリア信号を受信するように構成される。たとえば、入力ポート５０６は、４つの１次キャリア信号（Ｐｃａ０、Ｐｃａ１、Ｐｃａ２およびＰｃａ３）３１０の全部または一部を受信することができる。トランジスタ５２６のソース端子がインダクタ５３２の第１の端子に接続される。インダクタ５３２の第２の端子が信号接地に接続される。
【００３３】
[0041]トランジスタ５２８および５３０のゲート端子が第４の入力ポート５０８に接続される。入力ポート５０８は、４つの１次キャリア信号（Ｐｃａ０、Ｐｃａ１、Ｐｃａ２およびＰｃａ３）３１０の全部または一部を受信することができる。トランジスタ５２８のソース端子がインダクタ５２２の第１の端子に接続される。トランジスタ５３０のソース端子がインダクタ５３２の第１の端子に接続される。
【００３４】
[0042]トランジスタ５２４のドレイン端子が、トランジスタ５２６のドレイン端子と、ルーティングモジュール４０８のスイッチ５４２の第１の端子とに接続される。トランジスタ５２６のドレイン端子はルーティングモジュール４０８のスイッチ５４４の第１の端子に接続される。トランジスタ５２８のドレイン端子が、トランジスタ５３０のドレイン端子と、ルーティングモジュール４０８のスイッチ５４６の第１の端子とに接続される。トランジスタ５３０のドレイン端子はルーティングモジュール４０８のスイッチ５４８の第１の端子に接続される。
【００３５】
[0043]ルーティングモジュール４０８は、スイッチ（５３４、５３６、５３８、５４０、５４２、５４４、５４６、および５４８）を使用して、入力ポート（５０２、５０４、５０６、および５０８）において受信された信号の増幅されたバージョンを出力バッファ４１０および４３６にルーティングするように動作する。例示的な実施形態では、スイッチは、スイッチの各々を開状態または閉状態のいずれかにあるように制御するルーティング制御（ＲＣ：routing control）信号５５８によって制御される。スイッチの状態を制御することによって、ルーティングモジュール４０８は、増幅された入力信号のいずれかを出力バッファ４１０および４３６の一方または両方にルーティングするように動作する。例示的な実施形態では、ＲＣ信号５５８は、ベースバンドプロセッサなど、デバイスにおける別のエンティティによって与えられる。
【００３６】
[0044]出力バッファ４１０はトランジスタ５５０および５５２を含む。トランジスタ５５０は、電源に接続されたソース端子と、トランジスタ５５２のドレイン端子に接続されたドレイン端子とを有する。トランジスタ５５２は、信号接地に接続されたソース端子を有する。出力ポート４１４はトランジスタ５５０および５５２のドレイン端子に接続される。トランジスタ５５０のゲート端子およびトランジスタ５５２のゲート端子はノード５６０において接続される。スイッチ５３４、５３８、５４２、および５４６は、ノード５６０に接続された第２の端子を有する。スイッチ５３４が閉状態にあるとき、それの第１の端子は、信号がスイッチ５３４を通ってノード５６０に流れ得るように、それの第２の端子に接続される。スイッチ５３４が開状態にあるとき、それの第１の端子は、信号がスイッチ５３４を通ってノード５６０に流れ得ないように、それの第２の端子から切断される。スイッチ５３８、５４２および５４６はスイッチ５３４と同様に動作する。
【００３７】
[0045]出力バッファ４３６はトランジスタ５５４および５５６を含む。トランジスタ５５４は、電源に接続されたソース端子と、トランジスタ５５６のドレイン端子に接続されたドレイン端子とを有する。トランジスタ５５６は、信号接地に接続されたソース端子を有する。出力ポート４１６はトランジスタ５５４および５５６のドレイン端子に接続される。トランジスタ５５４のゲート端子およびトランジスタ５５６のゲート端子はノード５６２において接続される。スイッチ５３６、５４０、５４４、および５４８は、ノード５６２に接続された第２の端子を有する。スイッチ５３６が閉状態にあるとき、それの第１の端子は、信号がスイッチ５３６を通ってノード５６２に流れ得るように、それの第２の端子に接続される。スイッチ５３６が開状態にあるとき、それの第１の端子は、信号がスイッチ５３６を通ってノード５６２に流れ得ないように、それの第２の端子から切断される。スイッチ５４０、５４４および５４８はスイッチ５３６と同様に動作する。
【００３８】
[0046]例示的な実施形態では、ＲＣ信号５５８が、スイッチ５４０、５４２を閉状態になるように制御し、スイッチ５３４、５３６、５３８、５４４、５４６、および５４８を開状態になるように制御すると仮定される。選択されたスイッチ状態の結果として、入力ポート５０４において受信されたキャリア信号は、増幅され、（経路５６４によって示されるように）スイッチ５４０を通してノード５６２にルーティングされ、バッファ４３６によって増幅され、出力ポート４１６において出力される。入力ポート５０６において受信されたキャリア信号は、増幅され、（経路５６６によって示されるように）スイッチ５４２を通してノード５６０にルーティングされ、バッファ４１０によって増幅され、出力ポート４１４において出力される。開状態にあるスイッチは、他の信号が出力バッファ４１０および４３６にルーティングされるのを防ぐ。したがって、バンドグループＬＮＡ４０２は、入力ポート５０２、５０４、５０６および５０８に存在するキャリア信号がどのように増幅され、出力ポート４１４および４１６にルーティングされるかを制御するように制御可能である。
【００３９】
[0047]図６に、増幅および復調ＩＣ６００の例示的な実施形態を示す。たとえば、増幅および復調ＩＣ６００は、図３に示されている第２段増幅および復調ＩＣ３２２として使用するのに好適である。例示的な実施形態では、ＩＣ６００は、対応するベースバンド信号を取得するために、１次アンテナおよびダイバーシティアンテナの各々からの４つのキャリア信号を増幅し、復調する。
【００４０】
[0048]例示的な実施形態では、ＩＣ６００は、図３に示されている増幅器３１４および３１６など、第１段増幅器の増幅された出力を受信するための８つの入力ポート６１２（ａ〜ｈ）を含む。たとえば、増幅器３１４は１次グループ（１ａ、１ｂ、２ａ、２ｂ）を出力し、増幅器３１６はダイバーシティグループ（１ａ、１ｂ、２ａ、２ｂ）を出力する。入力ポート６１２において受信された増幅された信号は、信号完全性を維持する（たとえば、損失を低減する）ためにインピーダンス整合を与える、対応する整合ネットワーク６０２（ａ〜ｈ）に流れ、したがって、第１段増幅器からルーティングされた信号は、ＩＣ６００の外部の追加の整合回路を使用せずに、プリント回路板の信号トレースによってＩＣ６００の入力ポートに直接ルーティングされ得る。
【００４１】
[0049]整合ネットワーク６０２（ａ〜ｈ）の出力ポートは、インターフェースＬＮＡ（ｉＬＮＡ）６０４（ａ〜ｈ）の対応する入力ポートに接続される。各ｉＬＮＡは、それが受信した信号を増幅し、２つの出力ポートにおいて２つの増幅された信号を生成する。ｉＬＮＡ６０４（ａ〜ｈ）の出力ポートは、変換器モジュール６０６（ａ〜ｈ）の対応する入力に接続される。変換器モジュール６０６（ａ〜ｈ）の各々は、変換器出力ポートにおいて差動信号を出力するために、受信された信号のシングルエンドから差動への変換を実行する、２つの変換器回路を含む。したがって、変換器モジュール６０６（ａ〜ｈ）の各々は、対応するｉＬＮＡから２つのシングルエンド入力信号を受信するための２つのシングルエンド入力ポートを含む。変換器モジュール６０６（ａ〜ｈ）の各々は、対応する差動信号を出力するための２つの差動出力ポートをも含む含む。
【００４２】
[0050]変換器モジュール６０６（ａ〜ｈ）は、損失またはひずみなしに、増幅された信号の信号特性を維持しながら、および追加のバンド外除去を行いながら、ｉＬＮＡ６０４（ａ〜ｈ）から出力された増幅された信号を差動信号に変換する。変換器モジュール６０６（ａ〜ｈ）は、入力ための差動信号を復調器段（ｄｍ０、ｄｍ１、ｄｍ２、ｄｍ３）に出力する。例示的な実施形態では、各変換器モジュール６０６（ａ〜ｈ）の２つの差動出力は、異なる復調器段にルーティングされる。たとえば、変換器モジュール６０６（ａ）の２つ差動出力は復調器段ｄｍ１およびｄｍ３にルーティングされる。
【００４３】
[0051]復調器段（ｄｍ０、ｄｍ１、ｄｍ２、ｄｍ３）はミキサモジュール６０８（ａ〜ｈ）を含む。ミキサモジュール６０８（ａ〜ｈ）の各々は、２つのキャリア信号を復調するための２つの二重平衡ミキサ回路を含む。たとえば、復調器段ｄｍ１はミキサモジュール６０８（ａ）および６０８（ｂ）を含み、これらのミキサモジュールの各々は２つの二重平衡ミキサ回路を含み、各ミキサ回路は、局部発振器（たとえば、ＬＯ１）を使用して、受信された差動入力信号を復調する。したがって、各復調器段によって受信された差動キャリア信号は、同じＬＯ信号を使用して復調される。たとえば、ミキサモジュール６０８（ａ）の第１のミキサ回路は、入力ポート６１２（ａ）において受信された１次キャリアＰｃａ１を受信し、ミキサモジュール６０８（ａ）の第２のミキサ回路は、入力ポート６１２（ｃ）において受信された１次キャリアＰｃａ１を受信する。同様に、ミキサモジュール６０８（ｂ）の第１のミキサ回路は、入力ポート６１２（ｂ）において受信されたダイバーシティキャリアＤｃａ１を受信し、ミキサモジュール６０８（ｂ）の第２のミキサ回路は、入力ポート６１２（ｄ）において受信されたダイバーシティキャリアＤｃａ１を受信する。ミキサモジュール６０８（ａ）および６０８（ｂ）は、ＬＯ１回路によって生成された同じ発振器信号を使用してキャリア信号Ｐｃａ１およびＤｃａ１を復調する。ベースバンド信号である、復調された信号は、ベースバンドフィルタ６１０（ａ〜ｈ）のうちのベースバンドフィルタ６１０（ａ）および６１０（ｂ）に入力される。他の復調器段（ｄｍ１、ｄｍ２、ｄｍ３）は、対応するベースバンド信号を取得するために、１次およびダイバーシティアンテナから受信された１次およびダイバーシティキャリア信号ＣＡ０、ＣＡ２、およびＣＡ３を復調するように第１の復調器段（ｄｍ１）と同様に動作する。したがって、各復調器段は、選択されたバンドグループ中のキャリア信号を復調する。
【００４４】
[0052]したがって、スイッチ３０６、３０８から選択され、出力されたキャリア信号、バンドおよび／またはバンドグループは、第１段増幅器３１４、３１６に入力される。第１段増幅器３１４、３１６は、それらの入力において信号を増幅し、増幅されたキャリアグループを第２段増幅および復調段３０４に出力する。グループは、プリント回路板３３４の信号トレースを使用して、第１の３０２と第２段３０４との間で効率的にルーティングされる。ｉＬＮＡは、それらが受信したキャリアグループを増幅し、増幅されたキャリアグループを適切な復調器段に分散させる。各復調器段は、それが受信した選択されたキャリアを復調するために、１つのＬＯを使用する。次いで、復調されたベースバンド信号は、デバイスにおけるベースバンド処理エンティティに出力される。
【００４５】
[0053]図７に、図３に示されている２段ＬＮＡ３３６の詳細な例示的な実施形態を示す。２段ＬＮＡの構成要素はプリント回路板３３４上に実装される。この実施形態では、第１段３０２の増幅ＩＣ３１４および３１６は、図４に示されている二重増幅器４００の実施形態を備える。第２段３０４の単一の復調器ＩＣ３２２は、図６に示されている復調器ＩＣ６００の実施形態を備える。第１段３０２から出力された増幅されたキャリア信号は、対応するベースバンド信号を生成するために、増幅および復調のために第２段３０４にルーティングされる。表７０２および７０４は、増幅ＩＣ３１４および３１６から出力されたキャリア信号を識別する。したがって、図７に示されている実施形態は４ダウンリンクキャリアアグリゲーション受信機を形成する。システムは、５つ以上のダウンリンクキャリアを処理するためにスケーラブルおよび拡張可能であることに留意されたい。
【００４６】
[0054]図８に、図６に示されているＩＣ６００のためのインターフェースピン配列の例示的な実施形態を示す。例示的な実施形態では、インターフェースピンの配列は、それらのそれぞれのミキサグループ６０８へのｉＬＮＡ６０４出力間の回路トレースの長さおよびルーティング複雑さを低減する。例示的な実施形態では、インターフェースピンはグループ「ａ」８０２とグループ「ｂ」８０４とに分割され得る。例示的な実施形態では、グループ「ａ」８０２中のインターフェースピンはピンサブグループ８０６、８０８および８１０を備える。例示的な実施形態では、ピンサブグループ８０６中のピンは、第３の１次バンドグループ（ＰＲＸ＿ＢＧ３ａ）のためのピンとダイバーシティバンドグループ（ＤＲＸ＿ＢＧ３ａ）のためのピンとを備える。ピンサブグループ８０８中のピンは、１次バンドグループ（ＰＲＸ＿ＢＧ１ａ）のためのピンと、１次バンドグループ（ＰＲＸ＿ＢＧ２ａ）のためのピンと、ダイバーシティバンドグループ（ＤＲＸ＿ＢＧ１ａ）のためのピンと、ダイバーシティバンドグループ（ＤＲＸ＿ＢＧ２ａ）のためのピンとを備える。ピンサブグループ８１０中のピンは、１次バンドグループ（ＰＲＸ＿ＢＧ４ａ）のためのピンと、ダイバーシティバンドグループ（ＤＲＸ＿ＢＧ４ａ）のためのピンとを備える。ピングループ８０２は、電力（ＶＤＤ＿ａ）のためのピンと接地（ＧＮＤ＿ＬＮＡ）のためのピンとをも含む。例示的な実施形態では、ＢＧ１ａはハイバンド中のキャリアを備え、ＢＧ２ａはミッドバンド中のキャリアを備え、ＢＧ３ａはローバンド中のキャリーを備え、ＢＧ４ａはウルトラハイバンド中のキャリアを備える。
【００４７】
[0055]例示的な実施形態では、グループ「ｂ」８０４中のインターフェースピンはピンサブグループ８１２、８１４および８１６を備える。例示的な実施形態では、ピンサブグループ８１２中のピンは、１次バンドグループ（ＰＲＸ＿ＢＧ１ｂ）および（ＰＲＸ＿ＢＧ２ｂ）のためのピンと、ダイバーシティバンドグループ（ＤＲＸ＿ＢＧ１ｂ）および（ＤＲＸ＿ＢＧ２ｂ）のためのピンとを備える。ピンサブグループ８１４中のピンは、１次バンドグループ（ＰＲＸ＿ＢＧ３ｂ）のためのピンと、ダイバーシティバンドグループ（ＤＲＸ＿ＢＧ３ｂ）のためのピンとを備える。ピンサブグループ８１６中のピンは、１次バンドグループ（ＰＲＸ＿ＢＧ４ｂ）のためのピンと、ダイバーシティバンドグループ（ＤＲＸ＿ＢＧ４ｂ）のためのピンとを備える。ピングループ８０４は、電力（ＶＤＤ＿ｂ）のためのピンと接地（ＧＮＤ＿ＬＮＡ）のためのピンとをも含む。例示的な実施形態では、ＢＧ１ｂはハイ／ウルトラハイバンド中のキャリアを備え、ＢＧ２ｂはハイバンド中のキャリアを備え、ＢＧ３ｂはＬＴＥＵバンド中のキャリーを備え、ＢＧ４ｂはロー／ミッドバンド中のキャリアを備える。
【００４８】
[0056]例示的な実施形態では、ＣＡ１復調器段８１８が、ピンサブグループ８０６および８０８からＣＡ１復調器段８１８（たとえば、図６に示されているｄｍ１）へのルーティング複雑さを低減するように、ピンサブグループ８０６および８０８の近くに配置される。同様に、ＣＡ３復調器段８２４が、ピンサブグループ８０８および８１０からＣＡ３復調器段８２４（たとえば、図６に示されているｄｍ３）へのルーティング複雑さを低減するように、ピンサブグループ８０８および８１０の近くに配置される。例示的な実施形態では、ＣＡ０復調器段８３４が、ピンサブグループ８１２および８１４からＣＡ０復調器段８３４（たとえば、図６に示されているｄｍ０）へのルーティング複雑さを低減するように、ピンサブグループ８１２および８１４の近くに配置される。例示的な実施形態では、ＣＡ２復調器段８３０が、ピンサブグループ８１２および８１６からＣＡ２復調器段８３０（たとえば、図６に示されているｄｍ２）へのルーティング複雑さを低減するように、ピンサブグループ８１２および８１６の近くに配置される。
【００４９】
[0057]ＣＡ１復調器段８１８、ＣＡ３復調器段８２４、ＣＡ０復調器段８３４およびＣＡ２復調器段８３０を、グループ「ａ」ピン８０２およびグループ「ｂ」ピン８０４の周囲に、およびそれらが結合されるピンサブグループの近くに配列することによって、ピンサブグループと復調器段との間の信号線が、概して、互いに交差せず、それらが交差するときはそれらが、概して、実質的に直交して交差し、したがって、接続間の信号結合を最小限に抑えるように、実質的に直交する信号ルーティングを得ることが可能である。
【００５０】
[0058]たとえば、例示的な実施形態では、ピンサブグループ８０６からの線８２０は、ピンサブグループ８０８からの線８２２から離れてルーティングされ得る。同様に、ピンサブグループ８０８からの線８２６は、ピンサブグループ８１０の線８２８から離れてルーティングされ得る。
【００５１】
[0059]例示的な実施形態では、線８２０および線８２２は、線８２６および８２８に対して実質的に直交してルーティングされる。グループ「ｂ」ピン８０４に対して、同様のルーティング配列が達成され得る。
【００５２】
[0060]また、本明細書に示す構造の例示的な実施形態は、多数の入力をもつ複合受信機のための効率的なエリア利用を促進する。複数のサブグループが構成され得、それらの配置は、信号線にわたる信号結合をさらに低減するためにキャリア中心（ＣＡ中心）であり得る。ＣＡ中心は、ピンが、ルーティング複雑さおよび潜在的な信号ひずみを低減するために、それらが関連付けられたキャリアに従って復調器段の近くに配列されることを意味する。
【００５３】
[0061]例示的な実施形態では、各インターフェースｉＬＮＡ６０４は、４ダウンリンクＣＡ受信機のための接続ピンが、２つのピングループ「ａ」８０２および「ｂ」８０４に分割され得るように、２つのｄｍグループの２つの復調器に結合するにすぎない。この例示的な実施形態では、ＲＦ信号交差が２つのピングループ「ａ」８０２および「ｂ」８０４間で発生せず、したがって、ピングループ間の信号分離が最大にされ得る。
【００５４】
[0062]例示的な実施形態では、ピン配置は、可能なときはいつでも、ＣＡ中心にされる、たとえば、ピングループ「ａ」８０２中のＣＡ中心ピンサブグループ８０６、８０８および８１０は、１次ＬＮＡ入力とダイバーシティＬＮＡ入力とが一緒にグループ化されるように配列される。たとえば、ピンサブグループ８０６は、ＣＡ１復調器段８１８のみに接続し、ＣＡ１復調器段８１８の近くに配置される。ピンサブグループ８１０入力は、ＣＡ３復調器段８２４のみに接続し、ＣＡ３復調器段８２４の近くに配置される。ピンサブグループ８０８ピンは、ＣＡ１復調器段８１８とＣＡ３復調器段８２４の両方に接続し、ＣＡ１復調器段８１８とＣＡ３復調器段８２４との近くに配置される。この例示的な実施形態では、ＬＢ、ＭＢ、ＨＢ、およびＬＴＥＵバンドはＣＡ１とＣＡ３とによってサポートされる。ＣＡ１とＣＡ３との間の信号ルーティングは直交である。グループ「ｂ」８０４ピングループに対して、同様のピングループ配列が行われる。
【００５５】
[0063]例示的な実施形態では、ピングループ「ｂ」８０４中のＣＡ中心ピンサブグループ８１２、８１４および８１６は、１次ＬＮＡ入力とダイバーシティＬＮＡ入力とが一緒にグループ化されるように配列される。たとえば、ピンサブグループ８１４入力は、ＣＡ０復調器段８３４のみに接続し、ＣＡ０復調器段８３４の近くに配置される。ピンサブグループ８１６入力は、ＣＡ２復調器段８３０のみに接続し、ＣＡ２復調器段８３０の近くに配置される。ピンサブグループ８１２入力が、ＣＡ０復調器段８３４とＣＡ２復調器段８３４の両方に進み、ＣＡ０復調器段８３４とＣＡ２復調器段８３０の両方の近くに配置される。この例示的な実施形態では、ＬＢ、ＭＢ、ＨＢ、ＵＨＢ、およびＬＴＥＵバンドはＣＡ０とＣＡ２とによってサポートされる。ＣＡ０とＣＡ２との間の信号ルーティングは直交である。ピングループ「ｂ」８０４中のＣＡ２のみがＬＢとＭＢとをサポートするので、それらの入力は一緒に多重化され得る。
【００５６】
[0064]図９に、２段受信機装置９００の例示的な実施形態を示す。例示的な実施形態では、装置９００は、図３に示されている２段受信機３００として使用するのに好適である。
【００５７】
[0065]装置９００は、少なくとも１つの第１段キャリアグループを生成するために受信されたキャリア信号を増幅するための第１の手段（９０２）を含み、各第１段キャリアグループはキャリア信号のそれぞれの部分を含み、第１の手段は、例示的な実施形態では、第１段増幅３０２を備える。装置９００は、２つの第２段出力信号を生成するために各第１段キャリアグループを増幅するための第２の手段（９０４）をも備え、第２の手段は、例示的な実施形態では、第２段増幅３０４を備える。
【００５８】
[0066]本明細書で説明した複数の例示的な実施形態は、ＩＣ、アナログＩＣ、ＲＦＩＣ、混合信号ＩＣ、ＡＳＩＣ、プリント回路板（ＰＣＢ）、電子デバイスなどの上に実装され得る。例示的な実施形態はまた、相補型金属酸化物半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）など、様々なＩＣプロセス技術を用いて作製され得る。
【００５９】
[0067]本明細書で説明した例示的な実施形態を実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００６０】
[0068]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2017525174.tif 000003
【図２】
2017525174.tif 000004
【図３】
2017525174.tif 000005
【図４】
2017525174.tif 000006
【図５】
2017525174.tif 000007
【図６】
2017525174.tif 000008
【図７】
2017525174.tif 000009
【図８】
2017525174.tif 000010
【図９】
2017525174.tif 000011
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
少なくとも１つの第１段キャリアグループを生成するために受信されたキャリア信号を増幅するように構成された少なくとも１つの第１段増幅器と、各第１段キャリアグループが前記キャリア信号のそれぞれの部分を含む、
前記少なくとも１つの第１段キャリアグループを増幅するように構成された第２段増幅器と、各第２段増幅器が、第２段出力信号を生成するためにそれぞれの第１段キャリアグループを増幅するように構成され、ここにおいて、前記第２段増幅器の第１の増幅器の第１の出力は、第１の復調器の入力に結合され、前記第２段増幅器の前記第１の増幅器の第２の出力は、第２の復調器の入力に結合される、を備える装置。
【請求項２】
前記第１の復調器は、第１の選択されたキャリア信号を復調するように構成され、前記第２の復調器は第２の選択されたキャリア信号を復調するように構成された、請求項１に記載の装置。
【請求項３】
前記受信されたキャリア信号が１次キャリア信号とダイバーシティキャリア信号とを備える、請求項１に記載の装置。
【請求項４】
少なくとも１つの第１段キャリアグループを生成するために、受信されたキャリア信号を増幅するように構成された少なくとも１つの第１段増幅器と、前記少なくとも１つの第１段増幅器が、
前記キャリア信号の第１の部分を有する第１の増幅された出力を生成し、前記キャリア信号の第２の部分を有する第２の増幅された出力を生成するために、前記受信されたキャリア信号を増幅するように構成された少なくとも１つの第１の低雑音増幅器（ＬＮＡ）と、
前記受信されたキャリア信号を増幅し、前記キャリア信号の前記第１の部分を有する第３の増幅された出力を生成し、前記キャリア信号の前記第２の部分を有する第４の増幅された出力を生成するように構成された少なくとも１つの第２の低雑音増幅器（ＬＮＡ）と、
前記第１の増幅された出力、前記第２の増幅された出力、前記第３の増幅された出力、および前記第４の増幅された出力のうちの少なくとも１つを第１の出力ポートにルーティングし、前記第１の増幅された出力、前記第２の増幅された出力、前記第３の増幅された出力、および前記第４の増幅された出力のうちの少なくとも１つを第２の出力ポートにルーティングするように構成されたルーティングモジュールと
を備える、
前記少なくとも１つの第１段キャリアグループを増幅するように構成された第２段増幅器と、各第２段増幅器は、第２段出力信号を生成するためにそれぞれの第１段キャリアグループを増幅するように構成された、
を備える装置。
【請求項５】
前記少なくとも１つの第１段キャリアグループがシングルエンド信号を備える、請求項１に記載の装置。
【請求項６】
前記第２段増幅器がインターフェース増幅器を備え、各インターフェース増幅器が、第１の選択された増幅されたキャリア信号と、第２の選択された増幅されたキャリア信号とを有する、第２段増幅された出力を生成するために、選択された第１段キャリアグループを増幅するように構成された少なくとも１つの低雑音増幅器を備える、請求項２に記載の装置。
【請求項７】
前記少なくとも１つの第１段キャリアグループを前記インターフェース増幅器に整合させるように構成された整合回路をさらに備える、請求項６に記載の装置。
【請求項８】
前記第１の選択された増幅されたキャリア信号および前記第２の選択された増幅されたキャリア信号を差動信号に変換するように構成された変換器モジュールをさらに備える、請求項６に記載の装置。
【請求項９】
前記第１の復調器が、前記差動信号を受信し、局部発振器に基づいて前記差動信号をベースバンド信号に変換するように構成されたミキサを備える、請求項８に記載の装置。
【請求項１０】
前記ミキサが二重平衡ミキサとして構成された、請求項９に記載の装置。
【請求項１１】
前記少なくとも１つの第１段増幅器が１つまたは複数の集積回路上に配設され、前記第２段増幅器が別個の単一の集積回路上に配設された、請求項１に記載の装置。
【請求項１２】
前記１つまたは複数の集積回路および前記別個の単一の集積回路がプリント回路板上に配設された、請求項１１に記載の装置。
【請求項１３】
前記プリント回路板は、前記別個の単一の集積回路に前記少なくとも１つの第１段キャリアグループをルーティングするように構成された信号トレースを備える、請求項１２に記載の装置。
【請求項１４】
前記別個の単一の集積回路が、前記プリント回路板の前記信号トレースに接続されたインターフェースピンを備える、請求項１３に記載の装置。
【請求項１５】
前記別個の単一の集積回路の前記インターフェースピンが、キャリア中心配列で配列され、各第２段増幅器の出力に関連付けられた選択されたインターフェースピンが、それぞれの復調器に接続された信号トレースを分離するために、前記復調器に近接して置かれ、異なる復調器に接続された信号トレースが、直交する、請求項１４に記載の装置。
【請求項１６】
少なくとも１つの第１段キャリアグループを生成するために受信されたキャリア信号を増幅するための手段と、各第１段キャリアグループが前記キャリア信号のそれぞれの部分を含む、
第２段出力信号を生成するために前記少なくとも１つの第１段キャリアグループを増幅するための手段と、ここにおいて、前記少なくとも１つの第１段キャリアグループを増幅するための前記手段の第１の出力は、少なくとも、前記第２段出力信号のうちの第１の１つを復調するための手段の入力に結合され、前記少なくとも１つの第１段キャリアグループを増幅するための前記手段の第２の出力は、少なくとも、前記第２段出力信号のうちの第２の１つを復調するための手段の入力に結合される、
を備える装置。
【請求項１７】
少なくとも、前記第２段出力信号のうちの前記第１の１つを復調するための前記手段が、第１の選択されたキャリア信号を復調するように構成され、少なくとも、前記第２段出力信号のうちの前記第２の１つを復調するための前記手段が、第２の選択されたキャリア信号を復調するように構成された、請求項１６に記載の装置。
【請求項１８】
前記受信されたキャリア信号を増幅するための前記手段が、
前記キャリア信号の第１の部分を有する第１の増幅された出力と、前記キャリア信号の第２の部分を有する第２の増幅された出力と、前記キャリア信号の第３の部分を有する第３の増幅された出力と、前記キャリア信号の第４の部分を有する第４の増幅された出力とを生成するための手段と、
前記第１の増幅された出力、前記第２の増幅された出力、前記第３の増幅された出力、および前記第４の増幅された出力のうちの第１の選択された１つを第１の出力ポートにルーティングし、前記第１の増幅された出力、前記第２の増幅された出力、前記第３の増幅された出力、および前記第４の増幅された出力のうちの第２の選択された１つを第２の出力ポートにルーティングするための手段と
を備える、請求項１６に記載の装置。
【請求項１９】
前記第２段出力信号を差動信号に変換するための手段をさらに備える、請求項１７に記載の装置。
【請求項２０】
少なくとも、前記第２段出力信号のうちの前記第１の１つを復調するための前記手段が、前記差動信号を受信し、局部発振器に基づいて前記差動信号をベースバンド信号に変換するように構成された混合するための手段を備える、請求項１９に記載の装置。
【手続補正２】
【補正対象書類名】明細書
【補正対象項目名】００６０
【補正方法】変更
【補正の内容】
【００６０】
[0068]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
少なくとも１つの第１段キャリアグループを生成するために受信されたキャリア信号を増幅するように構成された少なくとも１つの第１段増幅器と、各第１段キャリアグループが前記キャリア信号のそれぞれの部分を含む、
前記第１段キャリアグループを増幅するように構成された第２段増幅器と、各第２段増幅器が、２つの第２段出力信号を生成するためにそれぞれの第１段キャリアグループを増幅するように構成された、を備える装置。
［Ｃ２］
前記２つの第２段出力信号が、異なる復調段に出力され、各復調段が、選択されたキャリア信号を復調するように構成された、Ｃ１に記載の装置。
［Ｃ３］
前記キャリア信号が１次キャリア信号とダイバーシティキャリア信号とを備える、Ｃ１に記載の装置。
［Ｃ４］
前記少なくとも１つの第１段増幅器が、
前記キャリア信号の第１の部分を有する第１の増幅された出力を生成し、前記キャリア信号の第２の部分を有する第２の増幅された出力を生成するために、前記受信されたキャリア信号を増幅するように構成された少なくとも１つの第１の低雑音増幅器（ＬＮＡ）と、
前記受信されたキャリア信号を増幅し、前記キャリア信号の前記第１の部分を有する第３の増幅された出力を生成し、前記キャリア信号の前記第２の部分を有する第４の増幅された出力を生成するように構成された少なくとも１つの第２の低雑音増幅器（ＬＮＡ）と、
前記第１の増幅された出力、前記第２の増幅された出力、前記第３の増幅された出力、および前記第４の増幅された出力のうちの少なくとも１つを第１の出力ポートにルーティングし、前記第１の増幅された出力、前記第２の増幅された出力、前記第３の増幅された出力、および前記第４の増幅された出力のうちの少なくとも１つを第２の出力ポートにルーティングするように構成されたルーティングモジュールとを備える、Ｃ１に記載の装置。
［Ｃ５］
前記第１段キャリアグループがシングルエンド信号を備える、Ｃ１に記載の装置。
［Ｃ６］
前記第２段増幅器がインターフェース増幅器を備え、各インターフェース増幅器が、第１の選択された増幅されたキャリア信号と、第２の選択された増幅されたキャリア信号とを有する、第２段増幅された出力を生成するために、選択された第１段キャリアグループを増幅するように構成された少なくとも１つの低雑音増幅器を備える、Ｃ２に記載の装置。
［Ｃ７］
前記第１段キャリアグループを前記インターフェース増幅器に整合させるように構成された整合回路をさらに備える、Ｃ６に記載の装置。
［Ｃ８］
前記第１の選択された増幅されたキャリア信号および前記第２の選択された増幅されたキャリア信号を差動信号に変換するように構成された変換器モジュールをさらに備える、Ｃ６に記載の装置。
［Ｃ９］
各復調器段が、前記差動信号を受信し、局部発振器に基づいて前記差動信号をベースバンド信号に変換するように構成されたミキサを備える、Ｃ８に記載の装置。
［Ｃ１０］
前記ミキサが二重平衡ミキサとして構成された、Ｃ９に記載の装置。
［Ｃ１１］
前記第１段増幅器が１つまたは複数の集積回路上に形成され、前記第２段増幅器が単一の集積回路上に形成された、Ｃ１に記載の装置。
［Ｃ１２］
前記１つまたは複数の集積回路および前記単一の集積回路がプリント回路板上に存在する、Ｃ１１に記載の装置。
［Ｃ１３］
前記第１段キャリアグループが、前記プリント回路板の信号トレースによって前記単一の集積回路にルーティングされる、Ｃ１２に記載の装置。
［Ｃ１４］
前記単一の集積回路が、前記プリント回路板の前記信号トレースに接続されたインターフェースピンを備える、Ｃ１３に記載の装置。
［Ｃ１５］
前記単一の集積回路の前記インターフェースピンが、それぞれの復調器段に接続された信号トレースを分離し、異なる復調器段に接続された信号トレースの直交する信号トレース交差を得るために、前記復調器段に近接して各第２段増幅器の出力に関連付けられた選択されたインターフェースピンを置くためにキャリア中心配列で配列された、Ｃ１４に記載の装置。
［Ｃ１６］
少なくとも１つの第１段キャリアグループを生成するために受信されたキャリア信号を増幅するための手段と、各第１段キャリアグループが前記キャリア信号のそれぞれの部分を含む、
２つの第２段出力信号を生成するために各第１段キャリアグループを増幅するための手段とを備える装置。
［Ｃ１７］
前記２つの第２段出力信号が、異なる復調段に出力され、各復調段が、選択されたキャリア信号を復調するように構成された、Ｃ１６に記載の装置。
［Ｃ１８］
前記受信されたキャリア信号を増幅するための前記手段が、
前記キャリア信号の第１の部分を有する第１の増幅された出力と、前記キャリア信号の第２の部分を有する第２の増幅された出力と、前記キャリア信号の第３の部分を有する第３の増幅された出力と、前記キャリア信号の第４の部分を有する第４の増幅された出力とを生成するための手段と、
前記第１の増幅された出力、前記第２の増幅された出力、前記第３の増幅された出力、および前記第４の増幅された出力のうちの第１の選択された１つを第１の出力ポートにルーティングし、前記第１の増幅された出力、前記第２の増幅された出力、前記第３の増幅された出力、および前記第４の増幅された出力のうちの第２の選択された１つを第２の出力ポートにルーティングするための手段とを備える、Ｃ１６に記載の装置。
［Ｃ１９］
前記２つの第２段出力信号を差動信号に変換するための手段をさらに備える、Ｃ１７に記載の装置。
［Ｃ２０］
各復調器段が、前記差動信号を受信し、局部発振器に基づいて前記差動信号をベースバンド信号に変換するように構成された混合するための手段を備える、Ｃ１９に記載の装置。
【国際調査報告】
2017525174.tif 000012
2017525174.tif 000013